(57)【要約】【課題】放熱効果を落とすことなく、本体内部の塵や埃を吸着することができる撮像装置を提供すること。【解決手段】撮像装置内部の空気を吸排気し循環させるためのファンによって空気が排出される第１の方向とし、第１の方向に排出される空気によって作られる空気の循環経路を第１の経路とし、第１の方向の略延長上に、第１の方向に略直交する面方向に形成される板材、および板材を中心にファンと反対側に配置されている構造物を備え、板材は、板材の面内に第１の経路の一部を形成する空気孔を有し、構造物は、板材と対向する面、かつ、空気孔と第１の方向の投影上重なる位置に粘着シートが配置されていることを特徴とする。【選択図】図４
2016143924.tif 000002
【特許請求の範囲】
【請求項１】
撮像装置内部の空気を吸排気し循環させるためのファンを備え、
前記ファンによって空気が排出される第１の方向とし、
前記第１の方向に排出される空気によって作られる空気の循環経路を第１の経路とし、
前記第１の方向の延長上に、前記第１の方向に直交する面方向に形成される板材、および前記板材を中心に前記ファンと反対側に配置されている構造物を備え、
前記板材は、該板材の面内に前記第１の経路の一部を形成する空気孔を有し、
前記構造物は、前記板材と対向する面、かつ、前記空気孔と第１の方向の投影上重なる位置に、粘着シートが配置されていることを特徴とする撮像装置。
【請求項２】
前記構造物は、外観の一部をもつカバーであり、前記構造物は、他の外観カバーを外すことなく着脱可能なカバーであることを特徴とする請求項１に記載の撮像装置。
【発明の詳細な説明】
【技術分野】
【０００１】
本発明は、ファンを用いて本体内部に混入したゴミを取り除く撮像装置に関する。
【背景技術】
【０００２】
撮像装置の内部において、プリント基板やバッテリーなどの電気部品が熱源として熱を発しており、熱源が集中している箇所の空気温度が高くなり、その他の箇所の空気温度は相対的に低くなっている。従来より電気部品が周辺が熱くなりすぎて熱暴走しないように内蔵したファンを回転させることによって撮像装置内部の熱源周辺の高温の空気とその他の箇所の低温の空気を撹拌し、内部空気温度を平滑化する撮像装置がある。
【０００３】
また撮像装置は、レンズ交換、記録メディアの入れ替えやコネクタの抜き差しなどにおいて、塵や埃などが内部に混入する場合がある。特許文献１のように、レンズ交換時などに撮像レンズと撮像素子との間の空間に入ってしまった塵や埃を、吸引ファンと吸引ファンの前側に取り付けられたフィルタによって、塵や埃を吸着することができるデジタルカメラの集塵装置がある。
【先行技術文献】
【特許文献】
【０００４】
【特許文献１】特開２００６−３５２５１６号公報
【発明の概要】
【発明が解決しようとする課題】
【０００５】
しかしながら、上記従来例では塵や埃の吸着のためだけにファンを使っており、放熱に対して考慮されていない構成である。また、内部空気を循環させるファンに対して、本体内部に入った塵や埃を取るためにファンの位置に特許文献１のようにフィルタを配置した場合、埃や塵を吸着していくと、徐々にファンによる空気流量が減少していき、内部空気を循環する性能が落ちる上に、徐々に塵や埃も吸着できなくなってしまうという問題があった。
【０００６】
本発明の目的は、放熱効果を落とすことなく、本体内部の塵や埃を吸着することができる撮像装置を提供することにある。
【課題を解決するための手段】
【０００７】
上記の目的を達成するために、本発明の撮像装置は、撮像装置内部の空気を吸排気し循環させるためのファンを備え、前記ファンによって空気が排出される第１の方向とし、前記第１の方向に排出される空気によって作られる空気の循環経路を第１の経路とし、前記第１の方向の略延長上に、前記第１の方向に略直交する面方向に形成される板材、および前記板材を中心に前記ファンと反対側に配置されている構造物を備え、前記板材は、該板材の面内に前記第１の経路の一部を形成する空気孔を有し、前記構造物は、前記板材と対向する面、かつ、前記空気孔と第１の方向の投影上重なる位置に、粘着シートが配置されていることを特徴とする。
【発明の効果】
【０００８】
本発明の撮像装置によれば、本体内部素子の冷却に使用している内部空気を循環させるファンを利用し、ファンが排出する空気によって作られる内部循環経路上に粘着シートを置くことにより、放熱効果を落とすことなく、本体内部の塵や埃を吸着することができる。そして、ファンが作る空気が当たり続け、乾燥等により粘着力が落ちたとしても、粘着シートを外観カバーに貼り付けているために、外観カバーの取り付けビスを外すのみで粘着シートを露出することができ、交換が容易である。また塵や埃を取るためだけのファンが不要になり、コスト削減や製品の小型化になる。
【図面の簡単な説明】
【０００９】
【図１】本発明の第１の実施形態に関わるレンズ交換式デジタルビデオカメラの外観斜視図である。
【図２】本発明の第１の実施形態に関わるレンズ交換式デジタルビデオカメラのシステム図である。
【図３】本発明の第１の実施形態に関わるレンズ交換式デジタルビデオカメラの正面図である。
【図４】本発明の第１の実施形態に関わるレンズ交換式デジタルビデオカメラのファン正転時のＡ−Ａ断面図である。
【図５】本発明の第１の実施形態に関わるレンズ交換式デジタルビデオカメラのＡ−Ａ断面におけるＢ箇所の拡大図である。
【図６】本発明の第１の実施形態に関わるレンズ交換式デジタルビデオカメラの底面側を構成している部品の分解斜視図である。
【図７】本発明の第１の実施形態に関わるレンズ交換式デジタルビデオカメラのファン逆転時のＡ−Ａ断面図である。
【図８】本発明の第１の実施形態に関わるレンズ交換式デジタルビデオカメラのＡ−Ａ断面におけるＣ箇所の拡大図である。
【発明を実施するための形態】
【００１０】
以下、本発明を実施するための形態を図面に基づいて説明する。
【００１１】
＜第１の実施形態＞
本発明の第一の実施形態として、撮像装置の中でもレンズ交換式デジタルビデオカメラを用いて詳細な説明を行う。本発明の第一の実施形態の外観図を図１に示す。（ａ）は撮像装置正面側斜視図であり、正面、上面、および正面方向から見て右側面を示している。（ｂ）は撮像装置背面側斜視図であり、背面、底面、および正面方向から見た左側面を示している。
【００１２】
レンズ交換式デジタルビデオカメラ１００はレンズマウント１０１を持ち、レンズマウント１０１にはレンズキャップ１０２が取り付けられている。レンズキャップ１０２はレンズリリース釦１０３を押すことにより取り外し可能であり、各種レンズと付け替え可能である。各種レンズと交換が可能であることにより、焦点距離など撮像光学系の変更ができ、撮影画像のバリエーションが増える。
【００１３】
レンズ交換式デジタルビデオカメラ１００は、左側面にサムレスト１０４が取り付け可能となっており、本体把持時の指おきとして利用できる。その上、サムレスト１０４とグリップユニット（不図示）と付け替え可能となっており、グリップユニットはハイアングルの撮影時や通常撮影時など様々な状態の撮影時に対して把持しやすい方法を選択できる。
【００１４】
レンズ交換式デジタルビデオカメラ１００は、上面にアクセサリ取り付け部１０５、ストラップ取り付け金具１０６が配置されている。アクセサリ取り付け部１０５は、外付けモニターユニット（不図示）やハンドル（不図示）など拡張アクセサリを装着することができる。ストラップ取り付け金具１０６は、ストラップベルト（不図示）を取り付けることができ、レンズ交換式デジタルビデオカメラ１００を首からぶら下げて持ち運び可能となる。
【００１５】
レンズ交換式デジタルビデオカメラ１００は、右側面にセンサ位置指標金具１０７、電源スイッチ１０８が配置されている。センサ位置指標金具１０７は、メジャーなどを引っ掛けられるようになっており、被写体までの距離を測定することができ、撮影時の焦点距離の目安にできる。電源スイッチ１０８は、回動することにより、レンズ交換式デジタルビデオカメラ１００は電源のオン・オフを切り替えることができる。電源オン状態になった際に、レンズによって取得された光情報を撮像センサおよびＣＰＵ（不図示）によって画像データに変換され、電子ビューファインダ（以下ＥＶＦ）１０９および外付けモニターユニット（不図示）に画像が表示され、使用者は様々な状態の撮影時においても映像を見ることができる。
【００１６】
レンズ交換式デジタルビデオカメラ１００の両側面に吸排気口１１０が配置されている。右側面の吸気口１１０（ａ）から冷たい外気を取り込み、左側面と背面の角の排気口１１０（ｂ）から温められた空気が排出される。ただし、前述の吸気と排気の関係に限らず、逆転していても問題はない。
【００１７】
レンズ交換式デジタルビデオカメラ１００は、背面にステータス表示部１１１、蓋部１１２、電池蓋部１１３、ケーブル・コネクタ接続部１１５が配置されている。ステータス表示部１１１は、撮像光学系の設定値や取得音声のレベルメータなど、撮影時の映像に関連するステータスを表示している。蓋部１１２は開閉可能となっており、開状態（不図示）において記録媒体１２２の挿抜が可能となり、閉状態において記録媒体１２２へのアクセスを可能にし、撮影した映像データを記録することができる。電池蓋部１１３は開閉可能となっており、開状態（不図示）においてバッテリー１２３の挿抜が可能となり、閉状態においてバッテリー１２３への外力から守ることができる。ケーブル・コネクタ接続部１１５は図１（ｂ）においては蓋が装着されている。蓋内部（不図示）にはＨＤＭＩ（登録商標）、３Ｇ−ＳＤＩ、電源ジャック、ヘッドフォンジャック、外付けモニターユニットの接続コネクタなど、各種電気的通信を行う接続部が配置されている。
【００１８】
レンズ交換式デジタルビデオカメラ１００は、底面に三脚取り付け部１１４は配置されている。
【００１９】
釦１１６はレンズ交換式デジタルビデオカメラ１００の各所に配置されており、釦１１６のそれぞれに機能割り振りが可能となっている。割り振ることができる機能の例としては、撮影のスタート／ストップ、ピーキング、撮影画角の部分拡大、ＥＶＦ１０９への撮影情報の表示／非表示、ステータス表示部１１１のバックライトの点灯／消灯、ＮＤユニット１１８のフィルタ濃度の切り替えまた後述のファンの回転方向の切り替えなどがある。
【００２０】
ダイヤル１１７は、レンズ交換式デジタルビデオカメラ１００の右側後方に配置されており、それぞれ機能割り振りが可能となっている。割り振ることができる機能の例としては、装着レンズの絞りや感度の送り、表示メニュー選択箇所のスクロールなどがある。
【００２１】
本発明の第１の実施形態に関わるレンズ交換式デジタルビデオカメラ１００のシステムに関して図２に基づいて説明する。
【００２２】
まず被写体から入ってくる光がマウント１０１に装着されたレンズ、ＮＤユニット１１８を通過してセンサ１１９に受光される。レンズマウント１０１に装着されたレンズの接点部（不図示）より、レンズ情報（焦点距離、絞り径）を取得し、ＣＰＵ１２０によって内部メモリ１２１に記憶される。また内部メモリ１２１に記憶されたレンズ情報をもとに、釦１１６やダイヤル１１７が操作された際に、ＣＰＵ１２０によってレンズの焦点距離や絞りが制御される。
【００２３】
ＮＤユニット１１８において、釦１１６を操作することによって、ＣＰＵ１２０により透過率の異なるＮＤフィルタが入れ替えられ、撮影画像の明るさを調節できる。センサ１１９で得た画像データはＣＰＵ１２０によって処理され、記録媒体１２２に記録される、ないし、ＥＶＦ１０９に表示される、もしくは、ケーブル・コネクタ接続部１１５から外付けモニターユニット（不図示）などに映像信号が出力される。
【００２４】
記録媒体１２２に記録された画像データはＣＰＵ１２０によって読みだされ、前述同様にＥＶＦ１０９や外付けモニターユニット（不図示）に表示される。ステータス表示部１１１は、ＣＰＵ１２０により撮影状態（センサ１１９の感度、ＮＤユニット１１８のステップ数、記録媒体への残り録画可能時間など）が表示される。
【００２５】
バッテリー１２３は前述した電池蓋部１１３内部に配置・接続され、ＣＰＵ１２０やその他電気部品に電気を供給する。ケーブル・コネクタ接続部１１５にて、電源ケーブル（不図示）を接続すれば、バッテリー１２３を使用しなくとも、ＣＰＵ１２０などに電源を供給可能であり、バッテリー１２３に充電可能である。
【００２６】
ファン１２４は、電圧が印加され回転することによって、吸気口１１０（ａ）から空気を取り込み、ＣＰＵ１２０と熱的に接続されているダクト１２５（図４参照）の内部を通過し、取り込んだ空気が暖められ、排気口１１０（ｂ）から排出される。ファン１２４はＣＰＵ１２０の温度を測定するサーミスタ（不図示）から取得する温度データに連動して回転数が調整され、ＣＰＵ１２０の保証温度を超えないように制御される。
【００２７】
ファン１２６は、レンズ交換式デジタルビデオカメラ１００の内部の空気に流れを発生させ、循環させる。これにより、高温になりやすい熱源周辺の空気を循環させ温度の高低差をなくす。またファン１２６は回転方向を逆転可能で、２方向に空気の排出が可能である。通常方向に回転している場合は、前述の通りに本体内部の空気の循環を行うモードであり、逆転した場合はゴミ取りモードとして機能する。ゴミ取りモードの詳細は後述する。釦１１６のいずれかに回転方向切り替え機能を割り当てることで、ひと押しで回転方向を切り替え上記２つのモードを入れ替えられる。
【００２８】
ファン１２４、ファン１２６と共に、自身で回転数をカウントすることができ、カウントした回転数をＣＰＵ１２０へフィードバックし、設定する回転数へ近づくように制御可能である。
【００２９】
以下にてこのファン１２６によって作られる空気の流れに関して図３−８を用いて説明する。図３はレンズ交換式デジタルビデオカメラ１００の正面図であり、断面Ａ−Ａ箇所を示している。図４はレンズ交換式デジタルビデオカメラ１００の断面Ａ−Ａを示している。図４は左側にレンズ交換式デジタルビデオカメラ１００の光軸Ｌを示している。
【００３０】
光はレンズマウント１０１、ＮＤユニット１１８を通過して、センサ１１９へ受光される。またセンサ１１９の背面側にダクト１２５とＣＰＵ１２０が実装されているプリント基板１３２が製品を縦断する形で配置されている。ＣＰＵ１２０はレンズ交換式デジタルビデオカメラ１００の制御を行っており、熱を発生し、高温となる。またＣＰＵ１２０はダクト１２５と熱的に接続されており、ＣＰＵ１２０で発せられた熱がダクト１２５に伝達される。ダクト１２５は、吸排気口１１０と接続されており、ファン１２４（不図示）によって作られる空気の流路となっている。そこで暖められたダクト１２５は、ファン１２４によって取り込まれた低温の外気によって冷やされる。
【００３１】
プリント基板１３２の背面側上部にファン１２６およびステータス表示部１１１が配置されている。プリント基板１３２の背面側中央部に記録媒体１２２が配置されている。記録媒体１２２は撮影データの読み書きが行われ、その時に熱を発生し、高温となる。プリント基板１３２の背面側下部にバッテリー１２３が配置されている。バッテリー１２３は、レンズ交換式デジタルビデオカメラ１００の駆動電源として使用され、その時に熱を発生し、高温となる。
【００３２】
熱源として存在するプリント基板１３２およびＣＰＵ１２０と、記録媒体１２２、バッテリー１２３に挟まれた空間Ｓの空気が暖められ高温になる。そこで、ファン１２６を光軸Ｌに対して斜めに取り付けることにより、空間Ｓにある高温の空気を対流させることができる。
【００３３】
図４の黒矢印Ｘは、ファン１２６が正転している場合の本体内部の空気の流れを示している。送り込まれた空気はそのまま底面方向まで流れていき、底面カバー１２８に突き当たった後に底面カバー１２８の面方向へ広がっていく。その後、広がった空気が本体内部の部品の隙間から側面を上昇し、またファン１２６に吸い込まれていく。このように本体内部の空気が対流していくことにより、熱源周辺の高温の空気とその他の低温の空気を拡散し、本体内の温度を均一化することができる。
【００３４】
以下にて、循環している空気とともに流れていく本体内に入ってしまったゴミの取り方を図５および図６を用いて説明する。図５はレンズ交換式デジタルビデオカメラ１００の断面Ａ−ＡにおけるＢ箇所の拡大図である。図６はレンズ交換式デジタルビデオカメラ１００の底面側を構成する部品の分解斜視図である。
【００３５】
前述した通り、ファン１２６が回転することによって、底面方向に空気が流れていく。また底面側の強化のために底面側フレーム１２７が配置されている。底面側フレーム１２７には、底面側フレームよりも外観側に配置されている底面カバー１２８の方向に空気を通すための空気穴１２７（ａ）がファン１２６の略真下に配置されている。その空気穴１２７（ａ）の本体上下方向に投影上重なった位置に、底面カバー１２８上に粘着シート１２９が貼られている。空気穴１２７（ａ）によってファン１２６によって押し出された空気の流れを限定し、空気穴１２７（ａ）を通過した空気が粘着シート１２９にあてられる。
【００３６】
このように空気穴１２７（ａ）によって限定された循環経路上に粘着シート１２９が配置されていることにより、空気と共に循環している塵や埃を粘着シート１２９に吸着することができ、本体内部の塵や埃を除去することができる。
【００３７】
また本実施例のように、底面カバー１２８のという外観カバーの内部に粘着シート１２９を配置することにより、粘着シート１２９に塵や埃がついて効力が薄れてきた際にも、底面カバー１２８を本体に固定しているビスを外すのみで交換が容易にできる。
【００３８】
ファン１２６は前述の正転方向の回転することの他に、逆回転することで、ゴミ取りモードとして機能することができる。ファン１２６はファン１２６の回転方向切り替え機能の割り当てられた釦１１６を押すことによって、ファン１２６に印加される電圧が逆転し、ファン１２６は逆転を開始する。また電源スイッチ１０８が回動され、レンズ交換式デジタルビデオカメラ１００の電源のオン・オフが切り替えられた時に、一定時間ゴミ取りモードを動作してもよい。
【００３９】
図７はレンズ交換式デジタルビデオカメラ１００の断面Ａ−Ａを示しており、図７の白矢印Ｙは、ファン１２６が逆転している場合の本体内部の空気の流れを示している。図８はレンズ交換式デジタルビデオカメラ１００の断面Ａ−ＡにおけるＣ箇所の拡大図である。
【００４０】
ファン１２６が逆転している時は、前述したＣＰＵ１２０と記録媒体１２２およびバッテリー１２３の間の空間Ｓから空気を吸い上げ、図中の右斜め上の方向に空気を排出する。その方向においてファン１２６に対向しているステータス表示保持部材１３０のファン１２６によって排出された空気があたる位置に粘着シート１３１が貼り付けられている。また粘着シート１３１はステータス表示保持部材１３０の囲い部１３０（ａ）の中に貼りつけられおり、囲い部１３０（ａ）は粘着シート１３１の厚みよりも高い。
【００４１】
粘着シート１３１は、粘着シート１３１の周囲が囲まれ、ファン１２６に対向する面以外が覆われていることにより、ファン１２６の正転時に循環している空気が当たらないようになっている。粘着シート１３１は、ファン１２６のゴミ取りモードのときのみ排出される空気があたり、塵や埃を吸着することができる。
【００４２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４３】
１００  レンズ交換式デジタルビデオカメラ、１０１  レンズマウント、
１０２  レンズキャップ、１０３  レンズリリース釦、１０４  サムレスト、
１０５  アクセサリ取り付け部、１０６  ストラップ取り付け金具、
１０７  センサ位置指標金具、１０８  電源スイッチ、
１０９  電子ビューファインダ（ＥＶＦ）、１１０  吸排気口、
１１１  ステータス表示部、１１２  蓋部、１１３  電池蓋部、
１１４  三脚取り付け部、１１５  ケーブル・コネクタ接続部、１１６  釦、
１１７  ダイヤル、１１８  ＮＤユニット、１１９  センサ、１２０  ＣＰＵ、
１２１  内部メモリ、１２２  記録媒体、１２３  バッテリー、１２４  ファン、
１２５  ダクト、１２６  ファン、１２７  底面側フレーム、１２７（ａ）  空気穴、
１２８  底面カバー、１２９  粘着シート、１３０  ステータス表示部保持部材、
１３０（ａ）  囲い部、１３１  粘着シート、１３２  プリント基板
【図１】
2016143924.tif 000003
【図２】
2016143924.tif 000004
【図３】
2016143924.tif 000005
【図４】
2016143924.tif 000006
【図５】
2016143924.tif 000007
【図６】
2016143924.tif 000008
【図７】
2016143924.tif 000009
【図８】
2016143924.tif 000010